Podtech/llm-jp-corpus-v4-ja_patent huggingface dataset:
【手続補正書】
【提出日】平成17年6月2日(2005.6.2)
【手続補正１】
【補正対象書類名】明細書
【補正対象項目名】特許請求の範囲
【補正方法】変更
【補正の内容】
【特許請求の範囲】
【請求項１】
プラスチックフィルムに金属薄膜を内部電極にして積層した金属化プラスチックフィルムを重ね巻回してこれに外装プラスチックフィルムを重ね巻回によって金属化プラスチックフィルム素子を形成し、この金属化プラスチックフィルム素子の両端面にメタリコン層を構成してなる第１外部電極を設け得てなるコンデンサ素子において、このコンデンサ素子の第１外部電極の表面上に、嵌着して一体化接合される板状端子からなる第２外部板状端子電極を構成し、前記板状端子電極の開口部と開口部の中間部の範囲に、外部応力に対応し変形でき得る溶接部周囲の板状端子を備えたことを特徴とするフィルムコンデンサ。
【請求項２】
プラスチックフィルムにアルミニウムより得られた金属薄膜を内部電極にして積層した金属化プラスチックフィルムを重ね巻回してこれに外装プラスチックフィルムを重ね巻回によって金属化プラスチックフィルム素子を形成し、この金属化プラスチックフィルム素子の両端面とに第１メタリコン層上に第２メタリコン層を構成してなる第１外部電極を設け得てなるコンデンサ素子において、このコンデンサ素子上に第２外部板状端子電極を構成してるフィルムコンデンサにあって、前記第１メタリコン層は、アルミニウム合金を７０％以上、Ｓｉを４％以上含むメタリコン層を設け、前記第２メタリコン層は、Ｓｎ合金を８０％以上残Ｚｎ，Ｃｕを含むメタリコン層を設けることによって前記第１外部電極を構成してなるコンデンサ素子にて、このコンデンサ素子上に嵌着して一体化接合される板状端子からなる前記第２外部板状端子電極を構成し、前記板状端子の開口部と開口部の中間部の範囲に外部応力に対応し変形でき得る溶接部周囲の板状端子を備えたことを特徴とするフィルムコンデンサ。
【請求項３】
請求項１、または２において、基板とのハンダ付上部でハンダに対し、平行な位置で、前記溶接部周囲の板状端子が外部応力に対応して変形し得る板状端子形状を備えていることを特徴とするフィルムコンデンサ。
【請求項４】
請求項１、または２において、前記第２外部板状端子電極となる板状端子の両端部が前記コンデンサ素子の長手方向の中央部に向かい折り曲がることにより、第２外部板状端子折り曲がり部を形成して上、下方向の外部応力に対応して変形し得る板状端子の形状を備えていることを特徴とするフィルムコンデンサ。
【請求項５】
請求項１、または２において、基板とのハンダ付部と前記溶接部間の板状端子は、前記コンデンサ素子の長手方向に伸張または収縮に対応して変形でき得る板状端子の形状を備えていることを特徴とするフィルムコンデンサ。
【請求項６】
請求項１、または２において、前記第２外部板状端子電極となる板状端子の両端部が、前記コンデンサ素子の長手方向の中央部に向かい鋭角に折り曲がることにより、このコンデンサ素子の端部を挟み込むことを特徴とするフィルムコンデンサ。
【手続補正２】
【補正対象書類名】明細書
【補正対象項目名】０００７
【補正方法】変更
【補正の内容】
【０００７】
【課題を解決するための手段】
本発明は、上述の目的を達成するために、プラスチックフィルムに金属薄膜を内部電極にして積層した金属化プラスチックフィルムを重ね巻回してこれに外装プラスチックフィルムを重ね巻回によって金属化プラスチックフィルム素子を形成し、この金属化プラスチックフィルム素子の両端面にメタリコン層を構成してなる第１外部電極を設け得てなるコンデンサ素子において、このコンデンサ素子の第１外部電極の表面上に、嵌着して一体化接合される板状端子からなる第２外部板状端子電極を構成し、前記板状端子電極の開口部と開口部の中間部の範囲に、外部応力に対応し変形でき得る溶接部周囲の板状端子を備えたことを特徴とするフィルムコンデンサを提供するものである。
また、プラスチックフィルムにアルミニウムより得られた金属薄膜を内部電極にして積層した金属化プラスチックフィルムを重ね巻回してこれに外装プラスチックフィルムを重ね巻回により金属化プラスチックフィルム素子を形成し、この金属化プラスチックフィルム素子の両端面に第１メタリコン層上に第２メタリコン層を構成してなる第１外部電極を設け得てなるコンデンサ素子にて、このコンデンサ素子上に第２外部板状端子電極を構成してなるフィルムコンデンサであって、前記第１メタリコン層は、アルミニウム合金を７０％以上、Ｓｉを４％以上含むメタリコン層を設け得、前記第２メタリコン層は、Ｓｎ合金を８０％以上残Ｚｎ，Ｃｕ含むメタリコン層を設けることによって前記第１外部電極を構成してなるコンデンサ素子にて、このコンデンサ素子上に嵌着して一体化接合される板状端子からなる前記第２外部板状端子電極を構成し、前記板状端子の開口部と開口部の中間部の範囲に外部応力に対応し変形でき得る溶接部周囲の板状端子を備えたことを特徴とするフィルムコンデンサを提供するものである。
【手続補正３】
【補正対象書類名】明細書
【補正対象項目名】００３５
【補正方法】変更
【補正の内容】
【００３５】
【発明の効果】
本発明によれば、第１外部電極にアルミニウム７０（％）以上の第１メタリコン層を形成するため内部電極との機械的な接合かつ電気的な特性が優れ得、また第２外部板状端子電極の構成に板状端子を用いることにより外部応力や機械的ストレスを抑制でき電気的な接続信頼性の高いフィルムコンデンサが得られ、産業上寄与する効果は極めて大きい。
【手続補正書】
【提出日】平成17年8月4日(2005.8.4)
【手続補正１】
【補正対象書類名】明細書
【補正対象項目名】特許請求の範囲
【補正方法】変更
【補正の内容】
【特許請求の範囲】
【請求項１】  半導体装置の層間絶縁膜の形成方法において、被処理体の表面に、ハイドロカーボン系ガスとボラジンと窒素含有ガスとプラズマ用ガスを含む雰囲気の存在下でプラズマＣＶＤによりＢ−Ｃ−Ｎ結合を含む層間絶縁膜を形成するようにしたことを特徴とする半導体装置の層間絶縁膜の形成方法。
【請求項２】  前記雰囲気ガスにフロロカーボン系ガスを添加するようにしたことを特徴とする請求項１記載の半導体装置の層間絶縁膜の形成方法。
【請求項３】  前記ボラジンの流量は、前記ハイドロカーボン系ガスの流量に対して１０％以下の範囲内であることを特徴とする請求項１または２記載の半導体装置の層間絶縁膜の形成方法。
【請求項４】  半導体装置の層間絶縁膜の形成方法において、被処理体の表面に、ハイドロカーボン系ガスとフロロカーボン系ガスとホウ素化合物ガスと窒素或いは窒素化合物ガスを含む雰囲気ガスの存在下でプラズマＣＶＤによりＢ−Ｃ−Ｎ結合を含む層間絶縁膜を形成するようにしたことを特徴とする半導体装置の層間絶縁膜の形成方法。
【請求項５】  前記ホウ素化合物ガスと窒素或いは窒素化合物ガスの合計の流量は、前記ハイドロカーボン系ガスの流量に対して１０％以下の範囲内であることを特徴とする請求項５記載の半導体装置の層間絶縁膜の形成方法。
【請求項６】  前記ホウ素化合物は、Ｂ２ Ｈ６ 或いはＢＦ３ であることを特徴とする請求項４または５記載の半導体装置の層間絶縁膜の形成方法。
【請求項７】  前記ハイドロカーボン系ガスはＣ２ Ｈ４ であり、前記フロロカーボン系ガスはＣ４ Ｆ８ ，ＣＦ４ ，Ｃ５ Ｆ８ ，Ｃ６ Ｆ６ の内、いずれか１つであることを特徴とする請求項２または３乃至６のいずれかに記載の半導体装置の層間絶縁膜の形成方法。
【請求項８】  前記窒素含有ガスは、窒素又は窒素化合物ガスであることを特徴とする請求項１乃至３のいずれかに記載の半導体装置の層間絶縁膜の形成方法。
【請求項９】  前記プラズマを発生させるプラズマ用ガスは、Ａｒ又はＨｅガスであることを特徴とする請求項１乃至８のいずれかに記載の半導体装置の層間絶縁膜の形成方法。
【手続補正２】
【補正対象書類名】明細書
【補正対象項目名】０００４
【補正方法】変更
【補正の内容】
【０００４】
【課題を解決するための手段】
本発明者は、層間絶縁膜の成膜時に、成膜用ガスの一部にボラジンを用いること、或いはフロロカーボン系ガスを用いることにより、誘電率、熱膨張係数、耐熱性、熱伝導性、機械的強度等を向上させることができる、という知見を得ることにより、本発明に至ったものである。
請求項１に規定する発明は、半導体装置の層間絶縁膜の形成方法において、被処理体の表面に、ハイドロカーボン系ガスとボラジンと窒素含有ガスとプラズマ用ガスを含む雰囲気の存在下でプラズマＣＶＤによりＢ−Ｃ−Ｎ結合を含む層間絶縁膜を形成するようにしたものである。
【手続補正３】
【補正対象書類名】明細書
【補正対象項目名】０００９
【補正方法】変更
【補正の内容】
【０００９】
上記ホウ素化合物は、前記ホウ素化合物は、Ｂ２ Ｈ６ 或いはＢＦ３ を用いることができる。また、前記ハイドロカーボン系ガスはＣ２ Ｈ４ であり、前記フロロカーボン系ガスはＣ４ Ｆ８ ，ＣＦ４ ，Ｃ５ Ｆ８ ，Ｃ６ Ｆ６ の内の、いずれか１つをそれぞれ用いることができる。
また、前記窒素含有ガスは、窒素又は窒素化合物ガスである。更に前記プラズマを発生させるプラズマ用ガスは、Ａｒ又はＨｅガスである。
【手続補正４】
【補正対象書類名】明細書
【補正対象項目名】００２１
【補正方法】変更
【補正の内容】
【００２１】
【発明の効果】
以上説明したように、本発明に係る半導体装置の層間絶縁膜の形成方法によれば、次のように作用効果を発揮することができる。
請求項１に規定する発明によれば、ハイドロカーボン系ガスとボラジンと窒素含有ガスとプラズマ用ガスを含む雰囲気の存在下でプラズマＣＶＤによりＢ−Ｃ−Ｎ結合を含む層間絶縁膜を形成するようにしたので、誘電率及び熱膨張係数を下げつつ、この耐熱性、熱伝導性及び機械的強度の向上を図ることができる層間絶縁膜を提供することができる。
請求項２に規定する発明によれば、雰囲気ガスにフロロカーボン系ガスを添加するようにしたので、誘電率を一層下げてキャパシタを少なくすることができるので、電気信号の遅延をより少なくすることができる。
請求項４の規定によれば、ハイドロカーボン系ガスとフロロカーボン系ガスとホウ素化合物ガスと窒素或いは窒素化合物ガスを含む雰囲気ガスの存在下でプラズマＣＶＤによりＢ−Ｃ−Ｎ結合を含む層間絶縁膜を形成するようにしたので、誘電率及び熱膨張係数を下げつつ、この耐熱性、熱伝導性及び機械的強度の向上を図ることができる層間絶縁膜を提供することができる。
【手続補正書】
【提出日】平成17年6月24日(2005.6.24)
【手続補正１】
【補正対象書類名】明細書
【補正対象項目名】特許請求の範囲
【補正方法】変更
【補正の内容】
【特許請求の範囲】
【請求項１】
所定の布をＸ方向およびＹ方向に移動させ、この布に対して所望の縫い目を形成するためのＸ−Ｙ送り駆動装置において、
Ｙ方向に平行な軸線をもつスプラインシャフトを駆動するＸ駆動手段と、
前記スプラインシャフトとＹ方向に固定したＹレ−ルとに沿い移動可能なＹ移動部材と、
前記Ｙ移動部材に支持されたＸレ−ルと、
前記Ｘレ−ルに沿い移動可能なＸ移動部材と、
基部が前記Ｘ移動部材に固定され、布押さえ枠を支持した押さえ台と、
前記スプラインシャフトとＹ移動部材とに支持されたスプロケットに掛け渡され、上面にＸ移動部材が固定された環状のＸタイミングベルトと、
Ｘ方向の軸線を持つＹ駆動軸を回転させるＹ駆動手段と、
Ｙ駆動軸とミシンフレ−ムに設けられたスプロケットに掛け渡され、少なくとも、Ｙ移動部材が固定された環状のＹタイミングベルトと、
前記Ｙレールの下面の両側がミシンフレームに固定され、Ｙレールの下面側にＸタイミングベルトの下面が通っていることを特徴とするミシンのＸ−Ｙ送り駆動装置
【請求項２】
Ｙ移動部材が固定されたＹタイミングベルトの上面が、Ｘタイミングベルトの中を通るように設けたことを特徴とする請求項１に記載のミシンのＸ−Ｙ送り駆動装置
【請求項３】
前記Ｙ移動部材のＹレ−ルを、Ｙレ−ルの両端を支持するように設け、そのＹレ−ルの下方に補強部材設けたことを特徴とする請求項１に記載のミシンのＸ−Ｙ送り駆動装置
【請求項４】
前記Ｙ移動部材の位置センサ−を、ＸタイミングベルトのＹ方向移動範囲内に設けたことを特徴とする請求項１に記載のミシンのＸ−Ｙ送り駆動装置
【請求項５】
所定の布をＸ方向およびＹ方向に移動させ、この布に対して所望の縫い目を形成するためのＸ−Ｙ送り駆動装置において、
Ｘ移動部材の移動方向に沿って設けられた一対のガイドレ−ルと、
前記Ｘ移動部材の移動方向両側のガイドレ−ルに移動自在に支持され、Ｘ移動部材の移動に連動して移動するように連結された移動カバ−と、
前記Ｘ移動部材とカバ−との連結部に設けられ、Ｘ移動部材の移動方向に弾性力を持つ弾性体と、
を設けたことを特徴とするミシンのＸ−Ｙ送り駆動装置
【手続補正２】
【補正対象書類名】明細書
【補正対象項目名】００１９
【補正方法】変更
【補正の内容】
【００１９】
【課題を解決するための手段】
前記目的を達成するために、請求項１に記載の本発明は、所定の布をＸ方向およびＹ方向に移動させ、この布に対して所望の縫い目を形成するためのＸ−Ｙ送り駆動装置において、Ｙ方向に平行な軸線をもつスプラインシャフトを駆動するＸ駆動手段と、前記スプラインシャフトとＹ方向に固定したＹレ−ルとに沿い移動可能なＹ移動部材と、前記Ｙ移動部材に支持されたＸレ−ルと、前記Ｘレ−ルに沿い移動可能なＸ移動部材と、基部が前記Ｘ移動部材に固定され、布押さえ枠を支持した押さえ台と、前記スプラインシャフトとＹ移動部材とに支持されたスプロケットに掛け渡され、上面にＸ移動部材が固定された環状のＸタイミングベルトと、Ｘ方向の軸線を持つＹ駆動軸を回転させるＹ駆動手段と、Ｙ駆動軸とミシンフレ−ムに設けられたスプロケットに掛け渡され、少なくとも、Ｙ移動部材が固定された環状のＹタイミングベルトと、前記Ｙレールの下面の両側がミシンフレームに固定され、Ｙレールの下面側にＸタイミングベルトの下面が通っている構成とした。
【手続補正３】
【補正対象書類名】明細書
【補正対象項目名】００２０
【補正方法】変更
【補正の内容】
【００２０】
請求項２に記載の発明は、Ｙ移動部材が固定されたＹタイミングベルトの上面が、Ｘタイミングベルトの中を通るように設けた構成とした。請求項３に記載の発明は、前記Ｙ移動部材のＹレ−ルを、Ｙレ−ルの両端を支持するように設け、そのＹレ−ルの下方に補強部材設けた構成とした。
【手続補正４】
【補正対象書類名】明細書
【補正対象項目名】００２２
【補正方法】変更
【補正の内容】
【００２２】
【作用】本発明に係わるミシンのＸ−Ｙ送り駆動装置によれば、環状のＸタイミングベルトには上面にＸ移動部材が固定されており、Ｘタイミングベルトの下面がＹレ−ルの下方に通っているので、Ｘ−Ｙ送り駆動装置の高さが低くなり、布に正確で綺麗な模様を形成し、縫い製品の商品価値を向上させることが出来る。また、Ｙ移動部材が固定されたＹタイミングベルトが、環状のＸタイミングベルトの中を通るので、Ｘ−Ｙ送り駆動装置の高さが低くなり、布に正確で綺麗な模様を形成し、縫い製品の商品価値を向上させることが出来る。
【手続補正書】
【提出日】平成17年4月1日(2005.4.1)
【手続補正１】
【補正対象書類名】明細書
【補正対象項目名】特許請求の範囲
【補正方法】変更
【補正の内容】
【特許請求の範囲】
【請求項１】
複数の図柄を可変表示可能な複数の図柄表示部を図柄表示器に設け、図柄変動信号により図柄表示部の図柄が変動を開始し、所定時間後に、図柄が確定表示する可変表示ゲームが行われる遊技機であって、
１回の図柄変動開始信号に基づいて、前記図柄表示器には図柄が疑似確定表示される制限回数を表示し、
その後、前記図柄表示部の図柄が変動を開始し、所定時間後に、図柄を複数回の疑似確定表示することを前記制限回数まで実施した後に、図柄を確定表示することを特徴とする遊技機。
【手続補正２】
【補正対象書類名】明細書
【補正対象項目名】０００５
【補正方法】変更
【補正の内容】
【０００５】
【課題を解決するための手段】
請求項１の遊技機は、複数の図柄を可変表示可能な複数の図柄表示部を図柄表示器に設け、図柄変動信号により図柄表示部の図柄が変動を開始し、所定時間後に、図柄が確定表示する可変表示ゲームが行われる。
そして、１回の図柄変動開始信号に基づいて、前記図柄表示器には図柄が疑似確定表示される制限回数が表示され、その後、図柄表示部の図柄が変動を開始し、所定時間後に、図柄を複数回の疑似確定表示することを制限回数まで実施した後に、図柄を確定表示する。
そのため、１個の入賞球（１回の図柄変動開始信号）によって、制限回数（複数回）の可変ゲームが行われるので、あたかも大当たりとなる可能性が高くなったような効果を奏することができる。
【手続補正３】
【補正対象書類名】明細書
【補正対象項目名】００５４
【補正方法】変更
【補正の内容】
【００５４】
【発明の効果】
請求項１の遊技機は、１個の入賞球（１回の図柄始動信号）によって、複数回の可変表示ゲームが行われる可能性があるので、あたかも大当たりとなる可能性が高くなったような効果を奏することができる。
【手続補正書】
【提出日】平成17年6月22日(2005.6.22)
【手続補正１】
【補正対象書類名】明細書
【補正対象項目名】特許請求の範囲
【補正方法】変更
【補正の内容】
【特許請求の範囲】
【請求項１】
所定の契機を検出する検出手段と、
前記検出手段により検出された所定の契機が特定の条件を満たす場合に、遊技者にとって有利となる特別遊技状態を発生させる旨の信号を出力する制御手段を有してなる主基板と、
前記主基板の外部に設けられ、少なくとも前記信号に基づいて駆動制御される動作装置と、
前記検出手段及び前記主基板間、並びに、前記主基板及び前記動作装置間での信号の送信を許容するための複数の信号線と、
前記検出手段及び前記主基板間での信号の送信を許容するための信号線の途中に介設される中継基板とを備えた遊技機であって、
前記検出手段及び前記中継基板間を接続する信号線の両端にはコネクタが設けられ、当該コネクタのうち、前記中継基板側におけるコネクタは、前記中継基板に対し直接半田付けがなされていることを特徴とする遊技機。
【請求項２】
所定の契機を検出する検出手段と、
前記検出手段により検出された所定の契機が特定の条件を満たす場合に、遊技者にとって有利となる特別遊技状態を発生させる旨の信号を出力する制御手段を有してなる主基板と、
前記主基板の外部に設けられ、少なくとも前記信号に基づいて駆動制御される動作装置と、
前記検出手段及び前記主基板間、並びに、前記主基板及び前記動作装置間での信号の送信を許容するための複数の信号線とを備えた遊技機であって、
前記検出手段及び前記主基板間を接続する信号線の両端にはコネクタが設けられ、当該コネクタのうち、前記主基板側におけるコネクタは、前記主基板に対し直接半田付けがなされていることを特徴とする遊技機。
【請求項３】
請求項１又は２に記載の遊技機において、
前記信号線の両端に設けられたコネクタのうち、前記検出手段側のコネクタは、前記検出手段に対し着脱可能であることを特徴とする遊技機。
【手続補正２】
【補正対象書類名】明細書
【補正対象項目名】００１１
【補正方法】変更
【補正の内容】
【００１１】
【課題を解決するための手段】
上記の目的を達成するため、請求項１に記載の発明においては、所定の契機を検出する検出手段と、前記検出手段により検出された所定の契機が特定の条件を満たす場合に、遊技者にとって有利となる特別遊技状態を発生させる旨の信号を出力する制御手段を有してなる主基板と、前記主基板の外部に設けられ、少なくとも前記信号に基づいて駆動制御される動作装置と、前記検出手段及び前記主基板間、並びに、前記主基板及び前記動作装置間での信号の送信を許容するための複数の信号線と、前記検出手段及び前記主基板間での信号の送信を許容するための信号線の途中に介設される中継基板とを備えた遊技機であって、前記検出手段及び前記中継基板間を接続する信号線の両端にはコネクタが設けられ、当該コネクタのうち、前記中継基板側におけるコネクタは、前記中継基板に対し直接半田付けがなされていることをその要旨としている。
【手続補正３】
【補正対象書類名】明細書
【補正対象項目名】００１２
【補正方法】変更
【補正の内容】
【００１２】
また、請求項２に記載の発明では、所定の契機を検出する検出手段と、前記検出手段により検出された所定の契機が特定の条件を満たす場合に、遊技者にとって有利となる特別遊技状態を発生させる旨の信号を出力する制御手段を有してなる主基板と、前記主基板の外部に設けられ、少なくとも前記信号に基づいて駆動制御される動作装置と、前記検出手段及び前記主基板間、並びに、前記主基板及び前記動作装置間での信号の送信を許容するための複数の信号線とを備えた遊技機であって、前記検出手段及び前記主基板間を接続する信号線の両端にはコネクタが設けられ、当該コネクタのうち、前記主基板側におけるコネクタは、前記主基板に対し直接半田付けがなされていることをその要旨としている。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】変更
【補正の内容】
【００１４】
併せて、請求項３に記載の発明では、請求項１又は２に記載の遊技機において、前記信号線の両端に設けられたコネクタのうち、前記検出手段側のコネクタは、前記検出手段に対し着脱可能であることをその要旨としている。
【手続補正６】
【補正対象書類名】明細書
【補正対象項目名】００１６
【補正方法】変更
【補正の内容】
【００１６】
さて、本発明では、検出手段及び中継基板間を接続する信号線の両端にはコネクタが設けられ、当該コネクタのうち、前記中継基板側におけるコネクタは、前記中継基板に対し直接半田付けがなされている。このため、中継基板から当該信号線を外して、「ぶら下げ基板」を中継基板に不正に介設しようとしても、その信号線の取り外しが困難であるとともに、仮に、信号線を取り外すことができたとしてもそこへの「ぶら下げ基板」の取付は困難となる。
【手続補正７】
【補正対象書類名】明細書
【補正対象項目名】００１７
【補正方法】変更
【補正の内容】
【００１７】
また、「ぶら下げ基板」には、検出手段の検出信号を、所定のタイミングを見計らって主基板の制御手段の方へと不正に送信するタイプが多い。従って、本発明によれば、かかる多いタイプの「ぶら下げ基板」に対し、より効果的に上記作用を奏しうる。
【手続補正８】
【補正対象書類名】明細書
【補正対象項目名】００１８
【補正方法】変更
【補正の内容】
【００１８】
さらに、請求項２に記載の発明によれば、請求項１に記載の発明における中継基板が設けられておらず、その代わりに、検出手段及び主基板間が信号線で直接連結される。そして、本発明では、検出手段及び主基板間を接続する信号線の両端にはコネクタが設けられ、当該コネクタのうち、前記主基板側におけるコネクタは、前記主基板に対し直接半田付けがなされている。従って、主基板から当該信号線を外して、「ぶら下げ基板」を主基板に不正に介設しようとしても、その信号線の取り外しが困難であるとともに、仮に、信号線を取り外すことができたとしてもそこへの「ぶら下げ基板」の取付は困難となる。また、主基板が封印されているような場合には、信号線の取り外しがより一層困難となる。
【手続補正９】
【補正対象書類名】明細書
【補正対象項目名】００１９
【補正方法】変更
【補正の内容】
【００１９】
併せて、請求項３に記載の発明によれば、請求項１又は２に記載の遊技機において、前記信号線の両端に設けられたコネクタのうち、前記検出手段側のコネクタは、検出手段に対し着脱可能である。このため、遊技機の組立時等においては、検出手段及び中継基板（又は主基板）を所定の部位にセットしておいた上で、信号線を連結することができる。また、解体時等においても、検出手段及び中継基板（又は主基板）間の信号線の切り離しが容易に行われうる。
【手続補正書】
【提出日】平成17年6月15日(2005.6.15)
【手続補正１】
【補正対象書類名】明細書
【補正対象項目名】特許請求の範囲
【補正方法】変更
【補正の内容】
【特許請求の範囲】
【請求項１】
塗布対象である平面の基板の塗布有効面上に塗布流体を所定厚さで流出するために、スリット状の開口部を有する塗布ヘッドから前記塗布流体を塗布開始時の所定タイミングで供給するとともに塗布終了時の所定タイミングで前記供給を停止する供給手段と、前記基板を前記塗布ヘッドに対して相対移動する相対移動手段とを備えたスリットコート式塗布装置であって、
前記供給手段の流路途中において、前記塗布ヘッド近傍の圧力変化を検出しかつ圧電変換することで、前記塗布流体の供給状態を目視または数値データで観測する観測手段と、
前記流路途中に配設され、前記塗布開始時から前記塗布終了時の各所定タイミングで所定駆動されるとともに、前記観測結果に応じて塗布流体の供給のためのパラメータを調整することで、前記観測結果を適正な波形に調整する塗布液の供給制御手段とを具備し、
前記塗布液の供給開始から供給停止までの塗布領域における塗膜調整作業を容易にすることを特徴とするスリットコート式塗布装置。
【請求項２】
塗布対象である平面の基板の塗布有効面上に塗布流体を所定厚さで流出するために、スリット状の開口部を有する塗布ヘッドから前記塗布流体を塗布開始時の所定タイミングで供給するとともに塗布終了時の所定タイミングで前記供給を停止する供給手段と、前記基板を前記塗布ヘッドに対して相対移動する相対移動手段とを備えたスリットコート式塗布装置であって、
前記供給手段の流路途中において、前記塗布ヘッド近傍の圧力変化を検出しかつ圧電変換することで、前記塗布開始時の供給開始状態及び前記塗布終了時の供給停止状態を目視または数値データで観測する観測手段と、
前記流路途中に配設され、前記塗布開始時及び前記塗布終了時の各所定タイミングで所定駆動されるとともに、前記観測結果に応じて塗布流体の供給のための複数のパラメータを調整することで、前記観測結果を略台形の立ち上がり及び立ち下がり波形に調整する供給制御手段とを具備し、
前記供給開始状態及び前記供給停止状態における不安定領域を狭くして、前記基板の塗布有効面を広くする調整作業を確実かつ容易にすることを特徴とするスリットコート式塗布装置。
【請求項３】
前記塗布流体は、供給部に印加される供給圧力により前記塗布ヘッドに供給可能な低粘度の塗布流体であって、
前記供給制御手段を、前記塗布ヘッドの供給管に接続され、前記供給管内の体積を一時的に増加するために所定ストロ−クで駆動される栓体を有するサックバック弁と、
前記サックバック弁と前記供給部との間に接続され、所定ストロ−クで駆動される栓体により流路を開閉する開閉弁と、
前記開閉弁と前記サックバック弁の間の流路から分岐して接続され、前記流路内の残圧を開放するために所定ストロ−クで駆動される栓体により流路を大気に開放する残圧開放弁と、
前記各弁のうちの少なくとも一つに設けられてなり、前記栓体の所定ストロークを調整して開閉のタイミングを前記相対移動速度に応じて調整する調整部とから構成し、
前記複数のパラメータを調整することを特徴とする請求項１または２に記載のスリットコート式塗布装置。
【請求項４】
前記塗布流体は、供給部に接続される強制ポンプにより前記塗布ヘッドに供給される高粘度の塗布流体であって、
前記供給制御手段を、前記塗布ヘッドの供給管に接続される前記強制ポンプと、
前記強制ポンプを所定タイミングで正逆回転方向に駆動することで前記観測結果が略台形の立ち上がり及び立ち下がり波形に自動調整するモータ駆動部とから構成することを特徴とする請求項１または２に記載のスリットコート式塗布装置。
【請求項５】
塗布開始及び塗布終了時における前記基板に対する前記塗布ヘッドの相対移動の加速及び減速の度合を調整するための速度調整手段をさらに具備し、
前記複数のパラメータを調節可能にすることを特徴とする請求項１または２に記載のスリットコート式塗布装置。
【請求項６】
前記供給制御手段は、前記調整部または前記モータ駆動部を自動調整するために、前記観測結果に応じて塗布流体の供給のための複数のパラメータを自動調整することを特徴とする請求項１乃至５のいずれか１項に記載のスリットコート式塗布装置。
【請求項７】
塗布対象である平面の基板の塗布有効面上に塗布流体を所定厚さで流出するために、スリット状の開口部を有する塗布ヘッドから前記塗布流体を塗布開始時の所定タイミングで供給するとともに塗布終了時の所定タイミングで前記供給を停止する供給工程と、前記基板を前記塗布ヘッドに対して相対移動する相対移動工程とを備えたスリットコート式塗布方法であって、
前記供給工程途中において、前記塗布ヘッド近傍の圧力変化を検出しかつ圧電変換することで、前記塗布開始時の供給開始状態及び前記塗布終了時の供給停止状態を目視または数値データで観測する観測工程と、
前記供給工程途中において、前記塗布開始時及び前記塗布終了時の各所定タイミングで所定駆動されるとともに、前記観測結果に応じて塗布流体の供給のための複数のパラメータを調整することで、前記観測結果を略台形の立ち上がり及び立ち下がり波形に調整する調整工程とを具備し、
前記調整工程において前記供給開始状態及び前記供給停止状態における不安定領域を狭く設定して、前記基板の塗布有効面を広くする調整作業を確実かつ容易にすることを特徴とするスリットコート式塗布方法。
【請求項８】
前記塗布流体は、供給部に印加される供給圧力により前記塗布ヘッドに供給可能な低粘度の塗布流体であって、
前記調整工程において、前記塗布ヘッドの供給管に接続され、前記供給管内の体積を一時的に増加するために所定ストロ−クで駆動される栓体を有するサックバック弁の前記栓体の所定ストロークを調整し、または移動速度を調整するとともに、
前記サックバック弁と前記供給部との間に接続され、所定ストロ−クで駆動される栓体により流路を開閉する開閉弁の前記栓体の所定ストロークを調整し、または移動速度を調整することで、前記複数のパラメータを調整することを特徴とする請求項７に記載のスリットコート式塗布方法。
【請求項９】
前記塗布流体は、供給部に接続される強制ポンプにより前記塗布ヘッドに供給される高粘度の塗布流体であって、前記調整工程において、前記塗布ヘッドの供給管に接続される前記強制ポンプと、前記強制ポンプを所定タイミングで正逆回転方向に駆動することで前記観測結果が略台形の立ち上がり及び立ち下がり波形に自動調整することを特徴とする請求項７に記載のスリットコート式塗布方法。
【請求項１０】
請求項７乃至請求項８のいずれかに記載のスリットコート式塗布方法による塗布基板であって、前記塗布基板は平面の矩形基板及び円形平面状の半導体用ウエハーを含むことを特徴とする塗布基板。
【手続補正書】
【提出日】平成17年4月14日(2005.4.14)
【手続補正１】
【補正対象書類名】明細書
【補正対象項目名】発明の名称
【補正方法】変更
【補正の内容】
【発明の名称】ペースト塗布装置及びペースト塗布方法並びにセラミックス構造体製品の製造方法
【手続補正２】
【補正対象書類名】明細書
【補正対象項目名】特許請求の範囲
【補正方法】変更
【補正の内容】
【特許請求の範囲】
【請求項１】
セラミックス構造体の外周面にセラミックス製のペーストを塗布するための装置であって、前記セラミックス構造体を支持した状態で同セラミックス構造体をその軸線方向を中心として回転させる回転支持手段と、回転している前記セラミックス構造体の外周面に対して接触することで前記外周面の所定領域に前記ペーストを塗布する接触塗布体とを備えたことを特徴とするペースト塗布装置。
【請求項２】
前記接触塗布体は、前記セラミックス構造体と平行に配置されるとともに、回転駆動手段により自身の軸線方向を中心として回転駆動される回転体であることを特徴とする請求項１に記載のペースト塗布装置。
【請求項３】
前記接触塗布体を上下方向に駆動する上下駆動機構を備えたことを特徴とする請求項１に記載のペースト塗布装置。
【請求項４】
セラミックス構造体の外周面にセラミックス製のペーストを塗布する方法であって、前記セラミックス構造体をその軸線方向を中心として回転させながら、その外周面に対して接触塗布体を接触させることにより、前記外周面の所定領域に前記ペーストを塗布することを特徴とするペースト塗布方法。
【請求項５】
セラミックス構造体をその軸線方向を中心として回転させながら、その外周面に対して接触塗布体を接触させることにより、前記外周面の所定領域にセラミックス製のペーストを塗布して下地層を形成した後、接着剤を塗布し、この状態で複数のセラミックス構造体を接着して組み付けることを特徴とするセラミックス構造体製品の製造方法。
【手続補正３】
【補正対象書類名】明細書
【補正対象項目名】０００１
【補正方法】変更
【補正の内容】
【０００１】
【発明の属する技術分野】
本発明は、ペースト塗布装置及びペースト塗布方法並びにセラミックス構造体製品の製造方法に関するものである。
【手続補正４】
【補正対象書類名】明細書
【補正対象項目名】０００８
【補正方法】変更
【補正の内容】
【０００８】
本発明は上記の課題を解決するためなされたものであり、その第１の目的は、塗布厚さや塗布幅をある程度制御することができるペースト塗布装置及びペースト塗布方法並びにセラミックス構造体製品の製造方法を提供することにある。
【手続補正５】
【補正対象書類名】明細書
【補正対象項目名】０００９
【補正方法】変更
【補正の内容】
【０００９】
本発明の第２の目的は、さらに、作業性及び生産性に優れたペースト塗布装置及びペースト塗布方法並びにセラミックス構造体製品の製造方法を提供することにある。
【手続補正６】
【補正対象書類名】明細書
【補正対象項目名】００１２
【補正方法】変更
【補正の内容】
【００１２】
請求項３に記載の発明は、請求項１において、前記接触塗布体を上下方向に駆動する上下駆動機構を備えたものとした。
請求項４に記載の発明は、セラミックス構造体の外周面にセラミックス製のペーストを塗布する方法であって、前記セラミックス構造体をその軸線方向を中心として回転させながら、その外周面に対して接触塗布体を接触させることにより、前記外周面の所定領域に前記ペーストを塗布することを特徴とするペースト塗布方法をその要旨としている。
請求項５に記載の発明は、セラミックス構造体をその軸線方向を中心として回転させながら、その外周面に対して接触塗布体を接触させることにより、前記外周面の所定領域にセラミックス製のペーストを塗布して下地層を形成した後、接着剤を塗布し、この状態で複数のセラミックス構造体を接着して組み付けることを特徴とするセラミックス構造体製品の製造方法をその要旨としている。
【手続補正７】
【補正対象書類名】明細書
【補正対象項目名】００１６
【補正方法】変更
【補正の内容】
【００１６】
請求項４に記載の発明によると、接触塗布体側のペーストを外周面側に付着させることができるため、セラミックス構造体の外周面の所定領域にペーストが所定幅分だけ所定の厚さで塗布される。また、この方法によれば塗布厚さや塗布幅をある程度制御することが可能となるとともに、作業性が向上しかつ生産性も向上する。
請求項５に記載の発明によると、下地層を形成することにより接着剤を比較的短時間で充分にかつムラなく行き渡らせることができ、もってセラミックス構造体同士を接着したときその接着部位に高い強度を得ることができるようになる。
【手続補正８】
【補正対象書類名】明細書
【補正対象項目名】００１９
【補正方法】変更
【補正の内容】
【００１９】
この大型ハニカムフィルタ（セラミックス構造体製品）Ｆ1 は、複数個のハニカムフィルタ小片（セラミックス構造体）１からなる。本実施形態では、四角柱状をした１６個のハニカムフィルタ小片１を縦横４列組み合わせて互いに接着することにより、１つの大型ハニカムフィルタＦ1 を構成している。
【手続補正９】
【補正対象書類名】明細書
【補正対象項目名】００７７
【補正方法】変更
【補正の内容】
【００７７】
請求項４に記載の発明によれば、塗布厚さや塗布幅をある程度制御することができ、しかも作業性及び生産性に優れたペースト塗布方法を提供することができる。
請求項５に記載の発明によれば、下地層を形成することにより接着剤を比較的短時間で充分にかつムラなく行き渡らせることができ、もってセラミックス構造体同士を接着したときその接着部位に高い強度を得ることができる。それゆえ、大型かつ高品質のセラミックス構造体製品を確実に製造することができる。
【手続補正書】
【提出日】平成17年6月17日(2005.6.17)
【手続補正１】
【補正対象書類名】明細書
【補正対象項目名】特許請求の範囲
【補正方法】変更
【補正の内容】
【特許請求の範囲】
【請求項１】
入力される調剤データに基づいて制御信号を出力する制御装置と、この制御装置に接続されその制御信号により調剤指示箋を印刷する複数の調剤指示プリンタとを備えた調剤指示システムにおいて、薬種コードと薬剤コードとの対応関係を記憶するデータ格納部と、薬種コードと調剤指示プリンタとの対応関係を設定するプリンタ設定部とを備え、上記制御装置は入力された調剤データに含まれる薬剤ごとにその薬種コードをデータ格納部から読み出し、その読み出した薬種コードに対応する調剤指示プリンタにより患者名や調剤すべき薬剤名を含む調剤指示箋を印刷するようにしたことを特徴とする調剤指示システム。
【請求項２】
前記制御装置に通信手段を接続し、この通信手段に応答する通信手段を有する調剤用トレイの複数組をシステムとして組合わせ、調剤用トレイには表示部を設け、通信手段を介して制御装置から送られる調剤指示データを調剤用トレイの表示部に表示するようにしたことを特徴とする請求項１に記載の調剤指示システム。
【請求項３】
前記制御装置において各薬剤の薬種及び日数により薬剤を複数組の調剤用トレイに分けて収容するために調剤用トレイに対し薬剤の割当てを決定するようにしたことを特徴とする請求項２に記載の調剤指示システム。
【請求項４】
前記調剤指示プリンタにより印刷される調剤指示箋に複数組の調剤用トレイに薬剤を分割して収容することを示す情報を含むことを特徴とする請求項２又は３に記載の調剤指示システム。
【請求項５】
前記通信手段で調剤指示データを送信する際に各調剤用トレイを識別するために識別情報を調剤用トレイに送信するようにしたことを特徴とする請求項２乃至４のいずれかに記載の調剤指示システム。
【請求項６】
前記通信手段で調剤指示データを送信する際に服薬指導要否の情報を含めて調剤トレイに送信するようにしたことを特徴とする請求項２乃至５のいずれかに記載の調剤指示システム。
【請求項７】
複数の調剤指示プリンタを包含する調剤指示システムにおいて、薬剤識別情報と薬種識別情報との対応関係を格納する記憶手段と、薬種識別情報と調剤支持プリンタを指定する設定データとの対応関係を設定する設定手段と、調剤データを取得するデータ取得手段と、このデータ取得手段によって取得された調剤データに含まれる薬剤識別情報に対応する薬種識別情報を上記記憶手段から読み出す薬種識別情報読出手段と、薬種識別情報読出手段によって読出された薬種識別情報に対応する設定データを上記設定されたデータから読み出す設定データ読出手段と、上記の取得された調剤データに含まれる薬剤識別情報に対応する薬剤の調剤に必要な事項を印刷させるために上記設定データ読出手段で読み出された設定データによって指定される調剤指示プリンタを制御する制御手段とを備えたことを特徴とする調剤指示システム。
【請求項８】
複数の調剤指示プリンタを包含する調剤指示システムにおいて、薬種と調剤指示プリンタとの対応関係を設定する設定手段と、上記設定に基づいて調剤データに含まれる薬剤ごとに、その薬剤の調剤に必要な事項を、その薬剤の薬種に対応する調剤プリンタに印刷させるように制御する制御手段とを備えたことを特徴とする調剤指示システム。
【手続補正書】
【提出日】平成16年7月23日(2004.7.23)
【手続補正１】
【補正対象書類名】明細書
【補正対象項目名】特許請求の範囲
【補正方法】変更
【補正の内容】
【特許請求の範囲】
【請求項１】
遊技盤に設けられた図柄表示装置と、
前記遊技盤に設けられた始動口と、
パチンコ球が前記始動口に入球することに基いて前記図柄表示装置に複数の図柄を変動表示する手段と、
パチンコ球が前記始動口に入球することに基いて大当りカウンタ値を取得する手段と、
大当りカウンタ値の取得結果を数値と比較することに基いて大当りおよび外れを判定する手段と、
大当りの判定時および外れの判定時に大当り図柄および外れ図柄を設定する手段と、
大当り図柄および外れ図柄として停止順序が最終の図柄を除く残りの図柄が同一のリーチ図柄が設定されたときにリーチ図柄を停止状態で縮小表示して最終の図柄を変動状態で拡大表示する手段と、
最終の図柄の停止後に最終の図柄を拡大前の大きさに縮小表示し、リーチ図柄を縮小前の大きさに拡大表示する手段と
を備えたことを特徴とするパチンコ機。
【手続補正２】
【補正対象書類名】明細書
【補正対象項目名】０００３
【補正方法】変更
【補正の内容】
【０００３】
【課題を解決するための手段】
本発明のパチンコ機は、遊技盤に設けられた図柄表示装置と、前記遊技盤に設けられた始動口と、パチンコ球が前記始動口に入球することに基いて前記図柄表示装置に複数の図柄を変動表示する手段と、パチンコ球が前記始動口に入球することに基いて大当りカウンタ値を取得する手段と、大当りカウンタ値の取得結果を数値と比較することに基いて大当りおよび外れを判定する手段と、大当りの判定時および外れの判定時に大当り図柄および外れ図柄を設定する手段と、大当り図柄および外れ図柄として停止順序が最終の図柄を除く残りの図柄が同一のリーチ図柄が設定されたときにリーチ図柄を停止状態で縮小表示して最終の図柄を変動状態で拡大表示する手段と、最終の図柄の停止後に最終の図柄を拡大前の大きさに縮小表示しリーチ図柄を縮小前の大きさに拡大表示する手段とを備えたところに特徴を有している。
【手続補正３】
【補正対象書類名】明細書
【補正対象項目名】０００４
【補正方法】変更
【補正の内容】
【０００４】
上記手段によれば、リーチ画面上で停止したリーチ図柄が小さくなり、変動中の図柄が大きくなるので、図柄の変動画面からリーチ画面に発展したことが明確になる。しかも、限られた大きさの画面の中で変動中の図柄が目立ち、変動中の図柄が何で停止すれば大当りになるかが明確になるので、総じて、遊技のおもしろさが高まる。
【手続補正４】
【補正対象書類名】明細書
【補正対象項目名】００４１
【補正方法】変更
【補正の内容】
【００４１】
【発明の効果】
以上の説明から明らかなように、本発明のパチンコ機によれば、リーチ画面を表示するにあたって、停止したリーチ図柄をリーチ前より小さくし、変動中の図柄をリーチ前より大きくした。このため、図柄の変動画面からリーチ画面に発展したことが明確になる上、限られた大きさの画面の中で変動中の図柄が目立つようになるので、遊技のおもしろさが高まる。
【手続補正書】
【提出日】平成17年4月15日(2005.4.15)
【手続補正１】
【補正対象書類名】明細書
【補正対象項目名】０００５
【補正方法】変更
【補正の内容】
【０００５】
本発明は、このような従来の問題点に着目してなされたもので、通常の「当たり」の他に別途「特別の当たり」を設け、更に「特別の当たり」の場合は、特別入賞機構を予め定めた回数の一部を前倒しして特別の価値発生状態を生じさせることにより、遊技者の「当たり」に対する特別の期待感が大きく膨らむと同時に、遊技者の保有するパチンコ球が減少している時に安心感を与えると共に、当たった実感を先取りして遊技を楽しむことができるパチンコ機を提供することを目的としている。
【手続補正２】
【補正対象書類名】明細書
【補正対象項目名】００４４
【補正方法】変更
【補正の内容】
【００４４】
また、「当たり」のうち、「特別の当たり」であるかについてさらに判定する（ステップ１１０５）。「特別の当たり」の判定は、本実施の形態では、前記カウンタの「当たり」となる数値が特定の数値であるか否か、例えば、奇数であるか偶数であるかにより決定することとしている。奇数、偶数の場合には、「特別の当たり」が「当たり」の約半数となる。もちろん、これに限らず、「特別の当たり」の「当たり」における割合を所望の割合となるように、数値を決めることができる。また、第２の抽選機構を設けて、別途抽選してもよい。
【手続補正３】
【補正対象書類名】明細書
【補正対象項目名】００６０
【補正方法】変更
【補正の内容】
【００６０】
【発明の効果】
本発明のパチンコ機によれば、通常の「当たり」の他に別途「特別の当たり」を設け、更に「特別の当たり」の場合は、特別入賞機構を予め定めた回数の一部を前倒しして特別の価値発生状態を生じさせることにより、遊技者の「当たり」に対する特別の期待感が大きく膨らむと同時に、遊技者の保有するパチンコ球が減少している時に安心感を与えると共に、当たった実感を先取りして遊技中に緊張感と安堵感を与えながら遊技を続けることができる。
【手続補正書】
【提出日】平成17年6月16日(2005.6.16)
【手続補正１】
【補正対象書類名】明細書
【補正対象項目名】請求項２
【補正方法】変更
【補正の内容】
【請求項２】
前記通常遊技モードは、遊技者による停止スイッチの操作に基づき、対応する図柄表示手段を制御して停止させる遊技を行うものであり、
前記特別遊技モードは、予め定められた停止スイッチの遊技者による操作が対応する図柄表示手段を直ちに停止させることができる遊技を行うものであり、
前記特別遊技モード設定手段は、特別遊技モードを設定するか否かを抽選し、当選したとき前記特別遊技モードに設定するとともに、当選しなかった場合は、前記通常遊技モードに設定することを特徴とする請求項１記載の図柄組合せ遊技装置。
【手続補正２】
【補正対象書類名】明細書
【補正対象項目名】請求項５
【補正方法】変更
【補正の内容】
【請求項５】
前記解除条件には、前記特別遊技モードに入ってからのメダル獲得数が、所定の最大枚数に達したかを条件とするとともに、前記最大枚数が異なる枚数に設定された複数の解除条件を含み、
前記解除条件設定手段は、前記複数の解除条件からいずれか１つの解除条件を設定する、
ことを特徴とする請求項１又は２記載の図柄組合せ遊技装置。
【手続補正３】
【補正対象書類名】明細書
【補正対象項目名】００１７
【補正方法】変更
【補正の内容】
【００１７】
請求項２記載の発明は、請求項１記載の図柄組合せ遊技装置において、前記通常遊技モードは、遊技者による停止スイッチの操作に基づき、対応する図柄表示手段を制御して停止させる遊技を行うものであって、前記特別遊技モード設定手段は、予め定められた停止スイッチの遊技者による操作が対応する図柄表示手段を直ちに停止させることができる遊技を行うものであり、前記特別遊技モード設定手段は、特別遊技モードを設定するか否かを抽選し、当選したとき前記特別遊技モードに設定するとともに、当選しなかった場合は、前記通常遊技モードに設定することを特徴とする。
【手続補正４】
【補正対象書類名】明細書
【補正対象項目名】００２２
【補正方法】変更
【補正の内容】
【００２２】
請求項５記載の発明は、請求項１又は２記載の図柄組合せ遊技装置において、前記解除条件には、前記特別遊技モードに入ってからのメダル獲得数が、所定の最大枚数に達したかを条件とするとともに、前記最大枚数が異なる枚数に設定された複数の解除条件を含み、前記解除条件設定手段は、前記複数の解除条件からいずれか１つの解除条件を設定することを特徴とする。
【手続補正５】
【補正対象書類名】明細書
【補正対象項目名】００２３
【補正方法】変更
【補正の内容】
【００２３】
特別遊技モードに入ってからのメダル獲得数が、所定の最大枚数に達したかを解除条件とし、その最大枚数が異なる枚数に設定された複数の解除条件からいずれか１つの解除条件を設定するので、ゲームに変化を与えることができ、遊技者の興味を増大させることができる。
【手続補正書】
【提出日】平成17年6月16日(2005.6.16)
【手続補正１】
【補正対象書類名】明細書
【補正対象項目名】請求項１
【補正方法】変更
【補正の内容】
【請求項１】
外周面に複数種の図柄が所定数配列され駆動手段により回転して順次繰り返し図柄を表示窓に表示する回胴が複数並んで配置され、各回胴に対応して設けられた停止スイッチを順次遊技者が操作することにより停止した各回胴の表示窓の入賞ライン上に並んだ図柄の組み合わせによって入賞が決まりメダルの払出しがある図柄組合せ遊技装置において、
遊技者による停止スイッチの操作に基づき、対応する回胴を制御して停止させる通常遊技モードと、
予め定められた停止スイッチの遊技者による操作が対応する回胴を直ちに停止させることができる特別遊技モードと、
前記特別遊技モードを設定するか否かを抽選し、当選したとき前記特別遊技モードに設定する特別遊技モード設定手段と、
前記特別遊技モードに設定されると停止スイッチの操作が対応する回胴を直ちに停止させる状態にある場合に限り遊技者に報知する報知手段を備えたことを特徴とする図柄組合せ遊技装置。
【手続補正２】
【補正対象書類名】明細書
【補正対象項目名】請求項２
【補正方法】変更
【補正の内容】
【請求項２】
複数種の図柄が所定数配列され順次繰り返し表示する図柄表示手段が複数並んで配置され、各図柄表示手段に対応して設けられた停止スイッチを順次遊技者が操作することにより繰り返し表示が停止して入賞ライン上に並んだ図柄の組み合わせによって入賞が決まりメダルの払出しがある図柄組合せ遊技装置において、
遊技者による停止スイッチの操作に基づき、対応する図柄表示手段を制御して停止させる通常遊技モードと、
予め定められた停止スイッチの遊技者による操作が対応する図柄表示手段の繰り返し表示を直ちに停止させることができる特別遊技モードと、
前記特別遊技モードを設定するか否かを抽選し、当選したとき前記特別遊技モードに設定する特別遊技モード設定手段と、
前記特別遊技モードに設定されると停止スイッチの操作が対応する図柄表示手段の繰り返し表示を直ちに停止させる状態にある場合に限り遊技者に報知する報知手段を備えたことを特徴とする図柄組合せ遊技装置。
【手続補正３】
【補正対象書類名】明細書
【補正対象項目名】００１４
【補正方法】変更
【補正の内容】
【００１４】
【課題を解決するための手段および作用効果】
上記目的を達成するために、本発明は、外周面に複数種の図柄が所定数配列され駆動手段により回転して順次繰り返し図柄を表示窓に表示する回胴が複数並んで配置され、各回胴に対応して設けられた停止スイッチを順次遊技者が操作することにより停止した各回胴の表示窓の入賞ライン上に並んだ図柄の組み合わせによって入賞が決まりメダルの払出しがある図柄組合せ遊技装置において、遊技者による停止スイッチの操作に基づき、対応する回胴を制御して停止させる通常遊技モードと、予め定められた停止スイッチの遊技者による操作が対応する回胴を直ちに停止させることができる特別遊技モードと、前記特別遊技モードを設定するか否かを抽選し、当選したとき前記特別遊技モードに設定する特別遊技モード設定手段と、前記特別遊技モードに設定されると停止スイッチの操作が対応する回胴を直ちに停止させる状態にある場合に限り遊技者に報知する報知手段を備えた図柄組合せ遊技装置とした。
【手続補正４】
【補正対象書類名】明細書
【補正対象項目名】００１７
【補正方法】変更
【補正の内容】
【００１７】
請求項２記載の発明は、複数種の図柄が所定数配列され順次繰り返し表示する図柄表示手段が複数並んで配置され、各図柄表示手段に対応して設けられた停止スイッチを順次遊技者が操作することにより繰り返し表示が停止して入賞ライン上に並んだ図柄の組み合わせによって入賞が決まりメダルの払出しがある図柄組合せ遊技装置において、遊技者による停止スイッチの操作に基づき、対応する図柄表示手段を制御して停止させる通常遊技モードと、予め定められた停止スイッチの遊技者による操作が対応する図柄表示手段の繰り返し表示を直ちに停止させることができる特別遊技モードと、前記特別遊技モードを設定するか否かを抽選し、当選したとき前記特別遊技モードに設定する特別遊技モード設定手段と、前記特別遊技モードに設定されると停止スイッチの操作が対応する図柄表示手段の繰り返し表示を直ちに停止させる状態にある場合に限り遊技者に報知する報知手段を備えた図柄組合せ遊技装置である。
【手続補正書】
【提出日】平成16年10月4日(2004.10.4)
【手続補正１】
【補正対象書類名】明細書
【補正対象項目名】特許請求の範囲
【補正方法】変更
【補正の内容】
【特許請求の範囲】
【請求項１】
はんだを溶融させるこて部を有したはんだごてにおいて、
前記こて部は、先端部が屈曲されると共に楔状に形成されていることを
特徴とするはんだごて。
【手続補正２】
【補正対象書類名】明細書
【補正対象項目名】０００６
【補正方法】変更
【補正の内容】
【０００６】
【課題を解決するための手段】本発明は上述の目的を達成するもので、はんだを溶融させるこて部を有したはんだごてにおいて、前記こて部は、先端部が屈曲されると共に楔状に形成されていることを特徴とするものである。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正書】
【提出日】平成17年6月23日(2005.6.23)
【手続補正１】
【補正対象書類名】明細書
【補正対象項目名】特許請求の範囲
【補正方法】変更
【補正の内容】
【特許請求の範囲】
【請求項１】
溶解した銅合金に、使用に応じて燐などの脱酸剤ワイヤを補充供給する手段を設けた溶解銅合金の供給装置。
【請求項２】
溶解した銅合金を鋳型に供給する取鍋の支持装置に、銅合金の供給に対応して脱酸剤ワイヤを補充供給するようにした請求項１に記載の溶解銅合金の供給装置。
【請求項３】
鍋の重量検出手段を設けて、重量に対応してワイヤの供給量を決めるようにした請求項２に記載の溶解銅合金の供給装置。
【手続補正２】
【補正対象書類名】明細書
【補正対象項目名】０００８
【補正方法】変更
【補正の内容】
【０００８】
【課題を解決するための手段】
上記の目的を達成するために、本発明は、溶解した銅合金に、使用に応じて燐などの脱酸剤ワイヤを補充供給する手段を設けるようにした溶解銅合金の供給装置である。
【手続補正書】
【提出日】平成17年5月20日(2005.5.20)
【手続補正１】
【補正対象書類名】明細書
【補正対象項目名】特許請求の範囲
【補正方法】変更
【補正の内容】
【特許請求の範囲】
【請求項１】
被検体のスライス位置を指定するためのスキャノグラム撮影を行い、そのスキャノグラム上で指定された前記被検体のスライス位置についてＸ線源を回転して被検体の投影データを複数回計測すると共に、これらの計測された投影データを基に前記被検体の前記スライス位置の断層画像を再構成し、その再構成された断層画像を表示する機能を有したＸ線ＣＴ装置において、前記スキャノグラム撮影時に、前記スライス位置を含む関連領域について前記被検体の部位の大きさに合うようにファンビーム開き角を調整する紋り調整手段と、前記調整された開き角を基に前記スキャノグラム撮影を行う制御手段と、を備えたことを特徴とするＸ線ＣＴ装置。
【請求項２】
前記絞り調整手段は、前記被検体の大きさの異なる部位を連続してスキャノグラム撮影する場合、前記被検体の体軸方向に移動するに従って前記部位の大きさに合せて前記ファンビーム開き角を調整することを特徴とする請求項１に記載のＸ線ＣＴ装置。